(57)【要約】【課題】  棚本体に設けられたブラケットを交換することなく、ブラケットの傾斜角度を調整可能な角度調整機能を備える棚支持用ブラケット装置を提供することを目的とする。【解決手段】  両ブラケット１０、２０の後部を軸受ピン２５で軸着し、固定ブラケット２０に設けられた複数の係合溝２１ａ、２１ｂ、２１ｃの一つ２１ｂに、移動ブラケット１０に軸着されたリンク部材１６の軸部２９ａを係合するだけで、移動ブラケット１０を固定ブラケット２０に位置固定でき、軸部２９ａを他の係合溝２１ａまたは２１ｃに移動させて、リンク部材１６の固定位置の変更を行うことで、移動ブラケット１０の傾斜角度が変化し、それに伴ない棚板２の傾斜角度の調整が行われる。【選択図】  図３
2005211241.tif 000002
【特許請求の範囲】
【請求項１】
棚本体に取り付け可能な固定ブラケットと、上方に棚板が取り付け可能で且つ前記固定ブラケットに対して角度変更可能に軸着される移動ブラケットと、を有する棚支持用ブラケット装置であって、前記両ブラケットの後部を軸着するとともに、いずれか一方のブラケットに複数の係合溝を設け、他方のブラケットにリンク部材の一側を軸着し、該リンク部材の他側に前記係合溝に係合可能な軸部を設けたことを特徴とする棚支持用ブラケット装置。
【請求項２】
前記係合溝は前記ブラケットの外周縁に形成される請求項１に記載の棚支持用ブラケット装置。
【請求項３】
前記係合溝は前記ブラケットに設けた貫通孔に形成される請求項１に記載の棚支持用ブラケット装置。
【請求項４】
前記棚本体に係合孔を形成し、前記固定ブラケットの後端に前記係合孔に係合可能な
係合片を設けた請求項１乃至３のいずれかに記載の棚支持用ブラケット装置。
【請求項５】
前記係合孔を上下方向に複数形成する請求項４に記載の棚支持用ブラケット装置。
【請求項６】
前記軸部には前記係合溝から延設する取手が設けられている請求項１乃至５のいずれかに記載の棚支持用ブラケット装置。
【請求項７】
前記移動ブラケットの上部に係止溝を設け、前記棚板の下部に前記係合孔に係止可能な係止片を設ける請求項１乃至６のいずれかに記載の棚支持用ブラケット装置。
【請求項８】
前記固定ブラケット及び移動ブラケットの軸着間には間隔片が設けられる請求項１乃至７のいずれかに記載の棚支持用ブラケット装置。
【発明の詳細な説明】
【技術分野】
【０００１】
本発明は、棚本体に取り付け可能な固定ブラケットと、上方に棚板が取り付け可能で、かつ前記固定ブラケットに対して角度変更可能に取り付けられる移動ブラケットと、を有する棚支持用ブラケット装置に関する。
【背景技術】
【０００２】
従来、スーパーやコンビニエンス・ストアー等の商品売り場に設置される商品陳列棚において、商品が複数陳列される棚板は床面と略同一な平行面で上下方向に所定間隔で多段に形成されており、各棚板上面には商品が複数陳列されている。
【０００３】
棚板に載置された商品が消費者によって取り出されていくと、徐々に棚板の前方位置から商品が無くなり、しだいに棚板の後方位置に商品が残留してしまうことが多々有り、消費者の視点位置によっては、棚板の後方位置に載置される商品が上下の棚板に遮蔽されてしまうことがあり消費者から視認しづらく、商品が取り出し難かった。
【０００４】
そこで近年では、商品陳列棚の前方に向かって下方に傾斜するように、予めブラケットを傾斜させてその上端を棚本体に取り付け、このブラケットに棚板を載置して、前方に向かって傾斜する商品載置面を形成することで、棚板の後方位置に載置される商品を傾斜によって前方に流下させ、消費者の視認のし易すさと、商品の取り出しの容易化をはかったものが知られている。（例えば、特許文献１参照）。
【０００５】
【特許文献１】特開２００１−２６９２５４号公報（段落００１２〜００１５、第１〜３図）
【発明の開示】
【発明が解決しようとする課題】
【０００６】
しかしながら、特許文献１に示したブラケットにあっては、棚本体に設けられるブラケットの傾斜角度を変えることができないので、商品に適した最適な傾斜載置面を形成しようとすれば、傾斜角度が異なる種々のブラケットを用意しなければならず、ブラケットの製造コストが高くなるだけでなく、棚本体へのブラケットの交換作業に手間がかかるという問題点があった。
【０００７】
本発明は、このような問題点に着目してなされたもので、棚本体に設けられたブラケットを交換することなく、ブラケットの傾斜角度を容易に調整可能な棚支持用ブラケット装置を提供することを目的とする。
【課題を解決するための手段】
【０００８】
上記課題を解決するために、本発明の請求項１に記載の棚支持用ブラケット装置は、棚本体に取り付け可能な固定ブラケットと、上方に棚板が取り付け可能で且つ前記固定ブラケットに対して角度変更可能に軸着される移動ブラケットと、を有する棚支持用ブラケット装置であって、前記両ブラケットの後部を軸着するとともに、いずれか一方のブラケットに複数の係合溝を設け、他方のブラケットにリンク部材の一側を軸着し、該リンク部材の他側に前記係合溝に係合可能な軸部を設けたことを特徴としている。
この特徴によれば、いずれか一方のブラケットに設けられた複数の係合溝の一つを選択して、他方のブラケットに軸着されるリンク部材の軸部を係合するだけで、移動ブラケットを固定ブラケットに対して傾斜角度を変えて安定的に位置固定できるので、移動ブラケットを固定ブラケットから取り外すことなく、棚板の傾斜角度の調整が行われる。
【０００９】
本発明の請求項２に記載の棚支持用ブラケット装置は、請求項１に記載の棚支持用ブラケット装置であって、前記係合溝は前記ブラケットの外周縁に形成されることを特徴としている。
この特徴によれば、ブラケットの外周縁を加工するだけで容易に係合溝を形成することができる。
【００１０】
本発明の請求項３に記載の棚支持用ブラケット装置は、請求項１に記載の棚支持用ブラケット装置であって、前記係合溝は前記ブラケットに設けた貫通孔に形成されることを特徴としている。
この特徴によれば、係合溝に係合する軸部は貫通孔に係合されることから、角度調整時には軸部を貫通孔内で他の係合溝に移動させることができるので、軸部の移動が容易であり、かつ係合後は係合溝から外れ難い。
【００１１】
本発明の請求項４に記載の棚支持用ブラケット装置は、請求項１乃至３のいずれかに記載の棚支持用ブラケット装置であって、前記棚本体に係合孔を形成し、前記固定ブラケットの後端に前記係合孔に係合可能な係合片を設けたことを特徴としている。
この特徴によれば、固定ブラケットと棚本体の着脱を容易に行うことができる。
【００１２】
本発明の請求項５に記載の棚支持用ブラケット装置は、請求項４に記載の棚支持用ブラケット装置であって、前記係合孔を上下方向に複数形成することを特徴としている。
この特徴によれば、係合片を所望の係合孔に係合させることで、固定ブラケットの取付位置を上下方向に調整して、棚板を利用者が望む高さ位置で取り付けることが可能となる。
【００１３】
本発明の請求項６に記載の棚支持用ブラケット装置は、請求項１乃至５のいずれかに記載の棚支持用ブラケット装置であって、前記軸部には前記係合溝から延設する取手が設けられていることを特徴としている。
この特徴によれば、軸部から取手が延設されているので、取手を利用して軸部を移動させることで、容易に係合溝と軸部との係合と解除を行うことができる。
【００１４】
本発明の請求項７に記載の棚支持用ブラケット装置は、請求項１乃至６のいずれかに記載の棚支持用ブラケット装置であって、前記移動ブラケットの上部に係止溝を設け、前記棚板の下部に前記係合孔に係止可能な係止片を設けることを特徴としている。
この特徴によれば、移動ブラケットの上に棚板を載置して係止片を係止溝に係合すれば、棚板が確実に位置固定されるので、棚板と移動ブラケットとの位置ずれを未然に防止できる。
【００１５】
本発明の請求項８に記載の棚支持用ブラケット装置は、請求項１乃至７のいずれかに記載の棚支持用ブラケット装置であって、前記固定ブラケット及び移動ブラケットの軸着間には間隔片が設けられることを特徴としている。
この特徴によれば、係合溝に係合する軸部を他の係合溝に移動させる際に、固定ブラケット及び移動ブラケットの軸着間に設けられた間隔片によってリンク部材の収納スペースが設けられるので、互いのブラケットの隣接面の接触が未然に防止され移動ブラケットの回動が円滑に行われる。
【発明を実施するための最良の形態】
【００１６】
本発明の実施例を以下に説明する。以下、本実施例では棚支持用ブラケット装置を単にブラケット装置と称してして説明する。
【実施例１】
【００１７】
図1は、本発明の実施例１及び実施例２が適用される商品陳列棚の全体像を示す斜視図であり、図２は、ブラケット装置の分解組立斜視図であり、図３の（ａ）は、図１のＡ―Ａ線のブラケット装置の断面図であり、図３の（ｂ）は、移動ブラケットの傾斜角度を（ａ）の場合より大きくした状態を示す断面図であり、図４は、ブラケット装置に棚板取り付ける状態を示す断面図である。
【００１８】
この商品陳列棚は、スーパーやコンビニエンス・ストアー等の商品売り場に設置されており、商品陳列棚に複数の商品を数多く載置して、消費者が直に商品の取り出しを行えるようになっている。
【００１９】
本発明の実施例１を図面に基づいて説明すると、商品陳列棚１は図1に示されるように、床面７に載置される支持脚６に上下方向に延びる支柱４が左右２本が一対にて所定間隔毎（本実施例では３箇所）に設けられ、この支柱４間に仕切りパネル３が前後に嵌合して取り付けられ、支柱４と仕切パネル３の上部に商品が載置可能な載置棚５が設けられている。
【００２０】
支柱４には係合孔４ａが上下方向に複数形成され、仕切パネル３の所定の高さ位置には、外周にストッパー９が形成される棚板２が設けられている。この棚板２は、支柱４の係合孔４ａに予め取り付けられた後述のブラケット装置に載置され支持されており、棚板２の上面には商品１９が複数載置されている。以下、本実施例では商品陳列棚１の外方を前方位置とし、商品陳列棚１の中央を後方位置として説明する。
【００２１】
そこで、具体的に棚板２を支持するブラケット装置の構成を図２を用いて説明する。ブラケット装置３０は、固定ブラケット２０と、移動ブラケット１０と、リンク部材１６と、シャフト２９と、間隔片１７と、これら各部材を軸着するための軸受ピン２４、２５とシャフト２９の先端部に取り付けられる止着キャップ２６、２７、２８と、から成る。
【００２２】
固定ブラケット２０は金属板から構成されており、前部２０ａに貫通孔２１が形成され、貫通孔２１の前方位置から後方位置にかけて所定間隔で下向に向けて、Ａ係合溝２１ａ、Ｂ係合溝２１ｂ、Ｃ係合溝２１ｃが形成されている。上端部２０ｃの後部２０ｂ側には軸孔２３が形成されている。後部２０ｂの後端からは上面視略Ｌ字状に屈曲延設された金属片の下向き鈎状の係合片２２が上下方向に複数形成されている（本実施例では三箇所）。
【００２３】
移動ブラケット１０は金属板から構成されており、上端縁１０ｅから上端部１０ｃにかけて、前部１０ａ側に係止溝１１が形成され（本実施例では一箇所）、後部１０ｂ側に係止溝１２が複数形成されている（本実施例では四箇所）。上端部１０ｃの略中間位置には軸孔１３が形成され、後部１０ｂの略中間位置には軸孔１４が形成されている。
【００２４】
リンク部材１６は金属板から構成されており、一側に軸孔１６ａ、他側に軸孔１６ｂが形成されている。シャフト２９は中間に軸板２９ｃを備え、この軸板２９ｃの一側面から軸部２９ａが、他側面から取手２９ｂが延設され、軸部２９ａの径は固定ブラケット２０のＡ係合溝２１ａ、Ｂ係合溝２１ｂ、Ｃ係合溝２１ｃに係合可能な大きさになっている。また、間隔片１７はワッシャー状の金属板から構成され、中央に軸孔１７ａが形成されている。
【００２５】
また、移動ブラケット１０の軸孔１３の孔径の大きさは軸受ピン２４の軸径よりも若干広く形成され、移動ブラケット１０の軸孔１４、間隔片１７の軸孔１７ａおよび固定ブラケット２０の軸孔２３の孔径の大きさも軸受ピン２４の軸径よりも若干広く形成され、リンク部材１６が移動ブラケット１０に対して、移動ブラケット１０が固定ブラケット２０に対してそれぞれ回動可能に軸着されている。
【００２６】
上記した固定ブラケット２０、移動ブラケット１０、リンク部材１６、シャフト２９、間隔片１７の組立について以下に説明する。まず、軸受ピン２５を軸孔２３に貫通させ、軸孔１７ａを介して軸孔１４に貫通させたのち、軸受ピン２５の先頭部に止着キャップ２７を圧入固定させ軸着することにより、移動ブラケット１０を回動自在に固定ブラケット２０に取り付ける。
【００２７】
なお、間隔片１７の取り付けによって、固定ブラケット２０と移動ブラケット１０間に所定の間隔を設けることができ、後述するリンク部材１６の収納スペースが両ブラケット１０、２０間に設けられるので、互いのブラケット１０、２０の隣接面の接触が未然に防止され、移動ブラケット１０の回動が円滑に行われる。
【００２８】
次いで、固定ブラケット２０と移動ブラケット１０の間隔にリンク部材１６を収納させ、軸受ピン２４を軸孔１６ａに貫通させ、さらに軸孔１３に貫通させたのち、軸受ピン２４の先頭部に止着キャップ２６を圧入固定させ軸着することにより、リンク部材１６を回動自在に移動ブラケット１０に取り付ける。
【００２９】
続いて、シャフト２９の軸部２９ａを貫通孔２１に貫通させ、さらに軸孔１６ｂに貫通させたのち、軸部２９ａの先頭部に止着キャップ２８を圧入固定させ軸着することにより、シャフト２９を回動自在にリンク部材１６に取り付ける。
【００３０】
このようにして組み立てられブラケット装置３０を商品陳列棚１の棚本体に取り付ける際には、支柱４に形成された複数の係合孔４ａの所望の位置に固定ブラケット２０の係合片２２を係合させるだけで、ブラケット装置３０の取り付けを行うことができ、ブラケット装置３０の取り外しの際は、係合片２２を係合孔４ａから取り外すだけでよい。係合孔４ａが上下方向に複数設けられているので、ブラケット装置３０の取付位置を利用者が望む高さ位置に容易に調整することができる。
【００３１】
次に、ブラケット装置３０の移動ブラケット１０における角度調整について、図３を用いて詳細に説明する。図３（ａ）に示されるように、支柱４に固定された固定ブラケット２０に軸着される移動ブラケット１０は、軸受ピン２５を軸心として回動自在になっているが、移動ブラケット１０に軸着されるリンク部材１６の他側に軸着されたシャフト２９の軸部２９ａが貫通孔２１に形成されたＢ係合溝２１ｂに係合されているので、移動ブラケット１０の自由な回動が規制されて回動不能に位置固定されることになる。この時の移動ブラケット１０の傾斜角度は約６度に調整される。
【００３２】
軸部２９ａは貫通孔２１内に係合された状態となるので、軸部２９ａが係合溝から取り外れ難く、移動ブラケット１０の角度調整時には、軸部２９ａを貫通孔２１内に案内させて他の係合溝に移動させることができる構成になっている。
【００３３】
移動ブラケット１０の傾斜角度の大きくするには、まずシャフト２９の軸部２９ａから軸板２９ｃを介して延設するように設けられた取手２９ｂを若干持ち上げ、軸部２９ａを貫通孔２１内に遊嵌させた状態にする。
【００３４】
そして、軸部２９ａをＣ係合溝２１ｃの方向へと移動させ、図３（ｂ）に示されるように、Ｃ係合溝２１ｃに係合させると、軸受ピン２４によってリンク部材１６に軸着された移動ブラケット１０も下方に移動する。軸部２９ａがＣ係合溝２１ｃに係合された時点で移動ブラケット１０が位置固定され、移動ブラケット１０の傾斜角度が約７度に調整される。
【００３５】
このように、軸部２９ａから延設するように取手２９ｂが設けられているので、取手２９ｂを利用するだけで、軸部２９ａが同時に連動されてＢ係合溝２１ｂとの係合が解除され、容易に他の係合溝であるＣ係合溝２１ｃに軸部２９ａを移動させ係合させることができる。
【００３６】
なお、実施例１においては図示しないが、軸部２９ａをＡ係合溝２１ａに移動させ係合させた場合では、移動ブラケット１０の傾斜角度が約５度に調整されるようになっており、Ａ係合溝２１ａ、Ｂ係合溝２１ｂ、Ｃ係合溝２１ｃの係合位置によって、３段階（５、６、７度）に傾斜角度が切換えられる。
【００３７】
実施例１の角度調整可能な移動ブラケット１０には、棚板２が載置される構成になっており、具体的には図４に示されるように、移動ブラケット１０の前部１０ａ側に係止溝１１、後部１０ｂ側に係止溝１２が設けられている。
【００３８】
一方、棚板２の下部には、係止溝１１に対応する位置で前部２ａ側に係止片２ｅが設けられ（本実施例では一箇所）、係止溝１２に対応する位置で後部２ｂ側に係止片２ｆが設けられている（本実施例では二箇所）。
【００３９】
このように、棚板２を移動ブラケット１０の上端縁１０ｅに載置するだけで、係止片２ｅが係止溝１１に係止され、係止片２ｆが係止溝１２に係止されるので、棚板２が確実に位置固定され、棚板２と移動ブラケット１０との位置ずれを未然に防止できるようになっている。しかも、棚板２を上端縁１０ｅに載置した状態で移動ブラケット１０の傾斜角度が調整可能となっている。
【００４０】
棚板２の前端側にはストッパー取付部８が取り付けられており、ストッパー取付部８に形成された係止溝８ａにストッパー９の係止片９ａが嵌合されてストッパー９が取り付けられている。このストッパー９によって商品１９が商品陳列棚１の前方に滑落することを防いでいる。棚板２は金属板で構成され、金属板の表面にはエンボス加工によってエンボス部２ｇが形成されている。
【００４１】
このエンボス加工によって、商品１９の底面１９ａとの当接面積を少なくでき、商品１９の摩擦度を極力低減させ、商品１９を自身の自重によって棚板２の傾斜面に沿って流下させて、棚板２の前方位置に移動させることが可能となるので、棚板２の前方に商品１９の空きスペースが生じると、後方に位置する商品１９が傾斜面に沿って棚板２の前方に流下し、常に棚板２の前方には商品１９が並んだ状態となる。
【００４２】
したがって、本実施例のブラケット装置３０では、棚板２上に商品１９が載置された際に、商品１９自身の自重によって自然と落下する最適な角度にするために、移動ブラケット１０の傾斜角度の調整が行えるようになっている。
【００４３】
実施例１では、移動ブラケット１０にリンク部材１６を取付、固定ブラケット２０に係合溝２１を形成したが、これとは逆に、移動ブラケット１０に係止溝を、固定ブラケット２０にリンク部材を取り付けるようにしてもよい。このように本実施例に係る発明は、いずれか一方のブラケット１０，２０に設けられた複数の係合溝２１ａ〜２１ｃの一つを選択して、他方のブラケットに軸着されるリンク部材１６の軸部２９を係合するだけで、移動ブラケット１０を固定ブラケット２０に対して傾斜角度を変えて安定的に位置固定できるので、固定ブラケット２０を支柱４からから取り外すことなく、棚板２の傾斜角度の調整が行われる。
【実施例２】
【００４４】
次に、本発明の実施例２を図５に基づいて説明する。図５（ａ）は、移動ブラケットが固定ブラケットに係止する前のブラケット装置の断面図であり、（ｂ）は、移動ブラケットが固定ブラケットに係止した状態を示すブラケット装置の断面図である。なお、以下の実施例２において前述の実施例１と同様の構造部分に関しては、同一の符号を付すことにより詳細な説明は省略することにする。
【００４５】
ブラケット装置３１について説明すると、図５（ａ）に示されるように固定ブラケット２０’の後部２０ｂに移動ブラケット１０’の後部１０ｂが軸受ピン２５で回動自在に軸着され、移動ブラケット１０’の上端部１０ｃ中間位置にリンク部材１６’の一側が軸受ピン２４で回動自在に軸着され、リンク部材１６’の他側にシャフト２９の軸部２９ａが回動自在に軸着されている。
【００４６】
固定ブラケット２０’の外周縁２０ｅの前部２０ａ側の上端には、下方に向けて凹溝３２が形成され、さらに凹溝３２の前方位置から後方位置にかけて所定間隔で下方に向けて、Ａ係合溝３２ａ、Ｂ係合溝３２ｂ、Ｃ係合溝３２ｃが形成されている。そして、図５（ｂ）に示されるように、Ｂ係合溝３２ｂが選択されて軸部２９ａがＢ係合溝３２ｂが係合されると、軸受ピン２５を軸心とした移動ブラケット１０’の回動が規制され、位置固定される。
【００４７】
移動ブラケット１０’の傾斜角度の調整を行うには、まずシャフト２９の取手２９ｂを若干持ち上げ、次いで、軸部２９ａを例えば、Ａ係合溝３２ａ、またはＣ係合溝３２ｃの方向へと移動させ、軸部２９ａをその選択した係合溝に係合させると、移動ブラケット１０’も連動して移動し、傾斜角度が調整される。
【００４８】
以上の説明により実施例２では、固定ブラケット２０’の外周縁２０ｅを加工するだけで容易且つ製造コストを抑えて係合溝（Ａ係合溝３２ａ、Ｂ係合溝３２ｂ、Ｃ係合溝３２ｃ）を形成することができる。
【００４９】
このように、実施例１、２の発明におけるブラケット装置３０、３１では、棚本体の支柱４に設けられた固定ブラケット２０、２０’を取り外して交換することなく、棚板２を移動ブラケット１０に載置した状態において自由に傾斜角度が調整できる。
【００５０】
以上、本発明の実施例１、２を図面により説明してきたが、具体的な構成はこれら実施例に限られるものではなく、本発明の要旨を逸脱しない範囲における変更や追加があっても本発明に含まれ、例えば上記実施例では、固定ブラケット２０、２０’の後端から係合片２２を設け、係合片２２を支柱４の係合孔４ａに係合して、棚本体に取り付けているが、本発明はこれに限定されるものではなく、固定ブラケット２０、２０’に軸着される移動ブラケット１０、１０’の回動を規制しない構成であれば、他の公知の着脱方法によってブラケット装置３０、３１を棚本体に取り付けるようにしても良い。
【００５１】
また、実施例では、固定ブラケット２０及び移動ブラケット１０の後部１０ｂ、２０ｂの軸着間に間隔片１７を設けることで、移動ブラケット１０の回動時に互いのブラケット１０、２０の隣接面の接触を防止でき、回動を円滑に行えることから好ましいが、本発明は間隔片１７を設けることに限定されるものではなく、間隔片１７を設けない場合や両ブラケット１０、２０間に他の構成を用いて、両者間１０、２０に間隔を設けるようにしても良い。
【００５２】
また、実施例では、支柱４に取り付けられるブラケット装置３０、３１は一段構成になっているが、本発明はこれに限定されるものではなく、支柱４に上下方向に複数の係合孔４ａが設けられているので、複数のブラケット装置３０、３１を多段に取り付けることも可能である。また、実施例では、ブラケット装置３０、３１は商品陳列棚に適用した例で説明したが、一般的な棚の傾斜角度調整に用いることができることは言うまでもない。
【図面の簡単な説明】
【００５３】
【図１】本発明の実施例１における棚支持用ブラケット装置が適用された商品陳列棚の全体像を示す斜視図である。
【図２】棚支持用ブラケット装置の分解組立斜視図を示す図である。
【図３】（ａ）は、図１のＡ―Ａ線の棚支持用ブラケット装置の断面図であり、（ｂ）は、移動ブラケットの傾斜角度を（ａ）の場合より大きくした状態を示す断面図ある。
【図４】棚支持用ブラケット装置に棚板を取り付ける状態を示す断面図である。
【図５】（ａ）は、移動ブラケットが固定ブラケットに係止する前の実施例２におけるブラケット装置の断面図であり、（ｂ）は、移動ブラケットが固定ブラケットに係止した状態を示すブラケット装置の断面図である。
【符号の説明】
【００５４】
１                  商品陳列棚
２                  棚板
２ａ                前部
２ｂ                後部
２ｃ                上部
２ｄ                下部
２ｅ、２ｆ          係止片
２ｇ                エンボス部
３                  仕切パネル
４                  支柱
４ａ                係合孔
５                  載置棚
６                  支持脚
７                  床面
８                  ストッパー取付部
８ａ                係止溝
９                  ストッパー
９ａ                係止片
１０、１０’        移動ブラケット
１０ａ              前部
１０ｂ              後部
１０ｃ              上端部
１０ｄ              下端部
１０ｅ              上端縁
１１、１２          係止溝
１３、１４          軸孔
１６、１６’        リンク部材
１６ａ、１６ｂ      軸孔
１７                間隔片
１７ａ              軸孔
１９                商品
１９ａ              底面
２０、２０’        固定ブラケット
２０ａ              前部
２０ｂ              後部
２０ｃ              上端部
２０ｄ              下端部
２０ｅ              外周縁
２１                貫通孔
２１ａ              Ａ係合溝
２１ｂ              Ｂ係合溝
２１ｃ              Ｃ係合溝
２２                係合片
２３                軸孔
２４、２５          軸受ピン
２６、２７、２８    止着キャップ
２９                シャフト
２９ａ              軸部
２９ｂ              取手
２９ｃ              軸板
３０                ブラケット装置（実施例１の棚支持用ブラケット装置）
３１                ブラケット装置（実施例２の棚支持用ブラケット装置）
３２                凹溝
３２ａ              Ａ係合溝
３２ｂ              Ｂ係合溝
３２ｃ              Ｃ係合溝
【図１】
2005211241.tif 000003
【図２】
2005211241.tif 000004
【図３】
2005211241.tif 000005
【図４】
2005211241.tif 000006
【図５】
2005211241.tif 000007